(57)【特許請求の範囲】
【請求項１】
コーナーで相互に直交して複数開口面に亘るように配置した上下に対向する平面Ｌ字状乃至Ｕ字状にして溝ガイドを有するガイドレールと，同幅一対のパネルをヒンジ連結して伸張折畳み自在とした多数のシャッター単位を備え，上記ガイドレールの直交するコーナーに，隣接する２辺をガイドレール側に開口して該ガイドレールと同一断面形状をなして該ガイドレールを一連に連続する平面１／４円の溝ガイドを形成したコーナー接続部材を配置するとともに上記多数のシャッター単位を該Ｌ字状乃至Ｕ字状のガイドレールの複数開口面を塞ぐように配置してシャッター単位毎の伸張屈曲による開閉を自在としてなることを特徴とする横引きシャッター。
【請求項２】
上記多数のシャッター単位の各ヒンジ連結を，該シャッター単位のパネルの折畳みを複数開口面の内側に向けて行うように回動範囲略１／２円乃至１／２円強の角度に行って該シャッター単位を伸張維持して上記コーナーを送り通過可能とすることによって上記複数開口面のフルオープンを自在としてなることを特徴とする請求項１に記載の横引きシャッター。
【請求項３】
上記シャッター単位のコーナー送り通過を，該シャッター単位の非連結側両端における縦框の上下に該縦框から突出して上記ガイドレールに係合案内する係合ガイドを配置し，該係合ガイドによる非連結側両端の縦框上下４ヶ所と隣接する縦框の上記内側折畳み用のヒンジ連結によるシャッター単位の伸張状態維持の進行によって行ってなることを特徴とする請求項２に記載の横引きシャッター。
【請求項４】
上記各シャッター単位の上記非連結側両端の縦框間又はその一方に，折畳み状態としたシャッター単位をガイドレールの長手方向任意位置で該ガイドレールに対して保持するロック装置を配置してなることを特徴とする請求項１，２又は３に記載の横引きシャッター。
【請求項５】
上記シャッター単位の隣接する縦框の一方に，伸張状態としたシャッター単位をガイドレール長手方向任意位置で該ガイドレールに対して固定する施錠装置を配置してなることを特徴とする請求項１，２，３又は４に記載の横引きシャッター。
【発明の詳細な説明】
【技術分野】
【０００１】
本発明は，例えばサンルームのように複数開口を備えた構築物の開口部に設置使用する横引きシャッターに関する。
【背景技術】
【０００２】
この種サンルームに用いられる横引きシャッターは，例えば所定又は全部の開口面に配置した上下に対向する平面Ｉ字状のガイドレールと，同幅多数のパネルを中間連結枠を介して一連の蛇腹状にヒンジ連結して伸張折畳み自在としたシャッター本体を備え，該開口面を塞ぐように上記ガイドレールにシャッター本体を，例えば上吊支持によって配置して該シャッター本体の伸張折畳による開口面毎の開閉を自在としたものとされ，このとき上記中間連結枠にはその両側にヒンジ一方の支軸を配置し，該支軸をパネルの各縦框にそれぞれ一体成形したヒンジ他方の軸受に回動自在に嵌合して蛇腹状の開閉を行うものとされている。
【０００３】
【特許文献１】特開２００７−２３９２１３号公報
【発明の開示】
【発明が解決しようとする課題】
【０００４】
この場合，シャッター本体は一連の蛇腹状にヒンジ連結したものとされるから，シャッター本体はその幅方向一端から開閉する必要があり，開口面の任意位置での部分的開閉はなし得ないし，またシャッター本体の開閉は開口毎になされるから，例えばサンルームの２面乃至３面の複数の開口面に該シャッター本体を付しても，いずれかの開口面にシャッター本体を集めるように折畳んで，該２面乃至３面に亘るフルオープンを行うことはでき得ない。
【０００５】
しかし乍ら，この種サンルームは，エクステリア分野におけるアウトドアライフのステージとしても用いられるから，該サンルームに使用される横引きシャッターには，例えば開口面の任意位置のみを開閉することによって該開閉部位で通風や屋外への出入りを行う使用形態や，上記複数の開口面をフルオープンする使用形態が求められるところ，現状の横引きシャッターは，これらの使い勝手を向上した使用形態に対応することができない。
【０００６】
本発明はかかる事情に鑑みてなされたものであって，その解決課題とするところは，この種の開口面の任意位置のみの開閉を行う使用形態に対応し，更にはこれに加えて複数の開口面でフルオープンを行う使用形態に対応し得るようにした横引きシャッターを提供するにある。
【課題を解決するための手段】
【０００７】
上記課題に沿って本発明は，溝ガイドを有するガイドレールを複数開口面に亘るように平面Ｌ字状乃至Ｕ字状に配置するとともに該ガイドレールの直交するコーナーにコーナー接続部材を配置し，該コーナー接続部材に形成した平面１／４円の溝ガイドによって，ガイドレールを一連に連続するようにする一方，該ガイドレールに同幅一対のパネルをヒンジ連結して伸張折畳み自在とした多数のシャッター単位（シャッターユニット，扉ユニット等といってもよい）を上記Ｌ字状乃至Ｕ字状のガイドレールの複数開口面を塞ぐように配置するようにして，上記開口面における任意位置のシャッター単位を独立して開閉可能としたものであって，即ち請求項１に記載の発明を，コーナーで相互に直交して複数開口面に亘るように配置した上下に対向する平面Ｌ字状乃至Ｕ字状にして溝ガイドを有するガイドレールと，同幅一対のパネルをヒンジ連結して伸張折畳み自在とした多数のシャッター単位を備え，上記ガイドレールの直交するコーナーに，隣接する２辺をガイドレール側に開口して該ガイドレールと同一断面形状をなして該ガイドレールを一連に連続する平面１／４円の溝ガイドを形成したコーナー接続部材を配置するとともに上記多数のシャッター単位を該Ｌ字状乃至Ｕ字状のガイドレールの複数開口面を塞ぐように配置してシャッター単位毎の伸張屈曲による開閉を自在としてなることを特徴とする横引きシャッターとしたものである。
【０００８】
請求項２に記載の発明は，上記に加えて，上記シャッター単位のヒンジ連結を，パネルの折畳みを複数開口面の内側に向けて１／２円乃至これよりやや大きな１／２円強の角度で行うようにすることにより，コーナー通過の伸張状態を維持し，シャッター単位の手送り等によって，ガイドレールが直交するコーナーにおけるシャッター単位の送り通過を可能とし，複数開口面の任意位置にシャッター単位を集合的にした複数開口面のフルオープンをなし得るように，これを，上記多数のシャッター単位の各ヒンジ連結を，該シャッター単位のパネルの折畳みを複数開口面の内側に向けて行うように回動範囲略１／２円乃至１／２円強の角度に行って該シャッター単位を伸張維持して上記コーナーを送り通過可能とすることによって上記複数開口面のフルオープンを自在としてなることを特徴とする請求項１に記載の横引きシャッターとしたものである。
【０００９】
請求項３に記載の発明は，同じく上記に加えて，上記シャッター単位におけるコーナーの送り通過を，シャッター単位の非連結側両端の縦框に突設した上下の係合ガイドをガイドレールに係合案内して，該非連結側両端の縦框上下と，上記隣接する縦框の回動範囲１／２円乃至１／２円強の内側折畳み用のヒンジ連結とによってシャッター単位を単一パネル状の伸張状態を維持して進行して，安定且つ確実なコーナー通過を行うものとするように，これを，上記シャッター単位のコーナー送り通過を，該シャッター単位の非連結側両端における縦框の上下に該縦框から突出して上記ガイドレールに係合案内する係合ガイドを配置し，該係合ガイドによる非連結側両端の縦框上下４ヶ所と隣接する縦框の上記内側折畳み用のヒンジ連結によるシャッター単位の伸張状態維持の進行によって行ってなることを特徴とする請求項２に記載の横引きシャッターとしたものである。
【００１０】
請求項４に記載の発明は，同じく上記に加えて，上記独立して開閉可能としたシャッター単位の折畳み時の揺動を防止して，その使い勝手を向上したものとするように，これを，上記各シャッター単位の上記非連結側両端の縦框間又はその一方に，折畳み状態としたシャッター単位をガイドレールの長手方向任意位置で該ガイドレールに対して保持するロック装置を配置してなることを特徴とする請求項１，２又は３に記載の横引きシャッターとしたものである。
【００１１】
請求項５に記載の発明は，同じく上記に加えて，同じく上記独立して開閉可能としたシャッター単位の伸張時の施錠を行って，その使い勝手を向上したものとするように，これを，上記シャッター単位の隣接する縦框の一方に，伸張状態としたシャッター単位をガイドレール長手方向任意位置で該ガイドレールに対して固定する施錠装置を配置してなることを特徴とする請求項１，２，３又は４に記載の横引きシャッターとしたものである。
【００１２】
本発明はこれらをそれぞれ発明の要旨として，上記課題解決の手段としたものである。
【発明の効果】
【００１３】
本発明は以上のとおりに構成したから，請求項１に記載の発明は，溝ガイドを有するガイドレールを複数開口面に亘るように平面Ｌ字状乃至Ｕ字状に配置するとともに該ガイドレールの直交するコーナーにコーナー接続部材を配置し，該コーナー接続部材に形成した平面１／４円の溝ガイドによって，ガイドレールを一連に連続するようにする一方，該ガイドレールに同幅一対のパネルをヒンジ連結して伸張折畳み自在とした多数のシャッター単位（シャッターユニット，扉ユニット等といってもよい）を上記Ｌ字状乃至Ｕ字状のガイドレールの複数開口面を塞ぐように配置するようにして，上記開口面における任意位置のシャッター単位を独立して開閉可能として，開口面の任意位置のみの開閉を行う使用形態に対応した使い勝手のよい横引きシャッターを提供することができる。
【００１４】
請求項２に記載の発明は，上記に加えて，上記シャッター単位のヒンジ連結を，パネルの折畳みを複数開口面の内側に向けて１／２円乃至これよりやや大きな１／２円強の角度で行うようにすることにより，コーナー通過の伸張状態を維持し，シャッター単位の手送り等によって，ガイドレールが直交するコーナーにおけるシャッター単位の送り通過を可能とし，複数開口面の任意位置にシャッター単位を集合的にした複数の開口面でフルオープンを行う使用形態に対応した使い勝手のよい横引きシャッターを提供することができる。
【００１５】
請求項３に記載の発明は，同じく上記に加えて，上記シャッター単位におけるコーナーの送り通過を，シャッター単位の非連結側両端の縦框に突設した上下の係合ガイドをガイドレールに係合案内して，該非連結側両端の縦框上下と上記隣接する縦框の内側折畳み用ヒンジによってシャッター単位の伸張を拘束した進行を行うものとして，安定且つ確実なコーナー通過を行う横引きシャッターとすることができる。
【００１６】
請求項４に記載の発明は，同じく上記に加えて，上記独立して開閉可能としたシャッター単位の折畳み時の揺動を防止して，その使い勝手を向上した横引きシャッターとすることができる。
【００１７】
請求項５に記載の発明は，同じく上記に加えて，同じく上記独立して開閉可能としたシャッター単位の伸張時の施錠を行って，その使い勝手を向上した横引きシャッターとすることができる。
【発明を実施するための最良の形態】
【００１８】
以下図面の例に従って本発明を更に具体的に説明すれば，Ａは建物開口部前に配置したサンルーム５の複数開口面を塞ぐように配置した，例えばアルミ押出材を用いて形成したアルミ製の横引シャッターであり，該横引シャッターＡは，コーナーで相互に直交して複数開口面に亘るように配置した上下に対向する平面Ｌ字状乃至Ｕ字状，本例にあっては平面Ｕ字状にして溝ガイド１２を有するガイドレール１と，同幅一対のパネル２１をヒンジ２５連結して伸張折畳み自在とした多数のシャッター単位２を備え，上記ガイドレールの直交するコーナーに，隣接する２辺をガイドレール１側に開口して該ガイドレール１と同一断面形状をなして該ガイドレール１を一連に連続する平面１／４円の溝ガイド１２を形成したコーナー接続部材１１を配置するとともに上記多数のシャッター単位２を該Ｌ字状乃至Ｕ字状のガイドレール１の複数開口面を塞ぐように配置してシャッター単位２毎の伸張屈曲による開閉を自在としてあり，このとき本例にあって横引シャッターＡは，上記多数のシャッター単位２の各ヒンジ連結を，該シャッター単位２のパネル２１の折畳みを複数開口面の内側に向けて行うように回動範囲略１／２円乃至１／２円強の角度に行って該シャッター単位２を伸張維持して上記コーナーを送り通過可能とすることによって上記複数開口面のフルオープンを自在としたものとしてある。
【００１９】
本例の上記平面Ｕ字状のガイドレール１は，サンルーム５の建物開口部を除く３面の開口面に，その正面と側面の各上下に対向する上位ガイドレール１ａと下位ガイドレール１ｂを対とするように，上記サンルーム５の屋根５２の構造材とデッキ材等の床材に固定配置してあり，このとき上記正面と側面の各ガイドレール１は相互に直交するように９０度の角度に配置し，上記コーナー接続部材１１を介して相互に接続してある。
【００２０】
ガイドレール１はそれぞれ溝ガイド１２を一体に成形したアルミ押出材によるものとしてあり，本例にあって上位ガイドレール１ａは，シャッター単位２の後述の上位係合ガイドを受入れ案内するように，中間下向きのガイド開口と，該ガイド開口を挟むように配置した内外方向一方の，例えば室内側の傾斜ガイド面と，内外方向他方室外側の水平ガイド面と，これらガイド面を上下で画する合計４ヶ所のガイド突条１３を有する断面コ字状形状のものとする一方，下位ガイドレール１ｂは，同じく中間上向きのガイド開口と，室内側の傾斜ガイド面，室外側の水平ガイド面と，傾斜ガイド面を画する１ヶ所のガイド突条１３を有する断面コ字状のものとしてある。
【００２１】
上下位のガイドレール１ａ，１ｂをそれぞれ接続する上記コーナー接続部材１１は，例えばアルミ鋳物乃至合成樹脂で一体成形して平面方形を呈するブロック状にしてその隣接する２辺をガイドレール１側に開口して，該ガイドレールと各同一断面形状をなし，該ガイドレール１を一連に連続するように上記平面１／４円の溝ガイド１２を形成したものとしてあり，これによってガイドレール１交差方向に直交して切断した接続側端部の切断端縁片側を室内側で対接突合せて開口面を室内側で画するように上下位のガイドレール１ａ，１ｂを配置し，該ガイドレール１ａ，１ｂにそれぞれ形成される室外側の方形空間を埋めるように該コーナー接続部材１１を配置することによって，これらガイドレール１ａ，１ｂを相互に直交して一連に接続するものとしてある。該接続はコーナー接続部材１１を，上記屋根２の構造材や床材に固定するか，一体に成形した固定片によって各ガイドレール１ａ，１ｂに固定するか，これらを併用して，そのガイドレール１間の配置を行うものとしてある。本例にあってガイドレール１は，その幅を数ｃｍとするから，コーナー接続部材１１は該幅と同一の辺を有する平面数ｃｍ四方のものとする一方，上記１／４円の溝ガイド１２は，ガイドレール１の溝ガイド１２から室内外片側の幅に応じてその極小半径の円弧をなすものとしてある。
【００２２】
シャッター単位２をなすパネル２１は，それぞれ上下の横框２２と左右の縦框２３を，該縦框２３の上下端間に横框２２を突合せ架設するように框組みし，該框組みの開口内にガラス，樹脂等の透明，半透明乃至不透明のパネルを嵌着固定した同幅にして，全てのシャッター単位２に共通のものとしてある。該パネル２１は，その隣接する縦框２３を長手方向上下複数箇所でヒンジ連結することによって，それぞれ屈伸自在としてあり，このとき該ヒンジ２５は，例えばヒンジ金物を用いて，そのヒンジプレートを隣接する縦框の対向面に固定することによって，該ヒンジ金物を縦框２３間にその長手方向２ヶ所介装するように配置するとともに該ヒンジ金物によってパネル２１を各開口面の内側，即ちサンルーム５の室内側に折畳むようにしてあり，これによって上記ガイドレール１に上吊支持することによって，各シャッター単位２を各開口面の内側に向けて１／２円強，本例にあっては，例えば２〜３度程度大きな回動範囲を有するように，それぞれ伸張屈曲による独立した開閉をなし得るようにしてある。
【００２３】
シャッター単位２は，その非連結側両端における縦框２３の上下に該縦框２３から突出して上記ガイドレール１に係合案内する係合ガイドを配置してあり，本例にあって該係合ガイドは，それぞれ上下異径にして，その一方を径大にして断面矩形とし，他方を径小にして円筒形とした水平配置各一対のガイドローラー２６とし，該ガイドローラー２６はそれぞれ縦框２３の中空部上下端に嵌合固定した取付金具に起立配置した支軸に軸支してその各突出した配置を行ってあり，このとき上下異径のうち径大のガイドローラー２６ａは，各支軸の上下各先端に，径小のガイドローラー２６ｂはその内側，即ち取付金具側で各支軸を被嵌するようにそれぞれ上下２段に配置したものとしてある。
【００２４】
各上下２段のガイドローラー２６の上記上下位のガイドレール１ａ，１ｂによる受入れ案内は，上記傾斜ガイド面とこれを画するガイド突条１３間の隅部に上記径大のガイドローラー２６ａの下端外周を接触し且つガイド開口の開口端，特に該接触側と内外逆位置の開口端に上記径小のガイドローラー２６ｂを接触するようにして，各シャッター単位２の上吊支持を，その上下位のガイドローラー２６ａ，２６ｂを上下位ガイドレール１ａ，１ｂに対して内外方向２点で接触することによってその転動走行を行うようにしてあり，このとき上位のガイドレール１ａのその余のガイド突条１３は，ガイドローラー２６ａの位置を規制する振止作用を果たすものとしてある。即ち，例えばガイドローラーを垂直配置してこれをガイドレールに載置するように転動走行を行うようにした場合には，その方向転換に大きな半径を必要とするところ，本例におけるようにシャッター単位２に径大のガイドローラー２６ａを水平配置して，その上吊支持を行うことによって，該シャッター単位２の各ガイドローラー２６ａは，上記平面Ｕ字状のガイドレール１をコーナーで接続するコーナー接続部材１１の極小半径の１／４円の溝ガイド１２を容易に通過し得るものとすることができる。
【００２５】
このように形成したシャッター単位２は，該ガイドローラー２６による非連結側両端の縦框２３上下４ヶ所と隣接する縦框２３の内側折畳み用のヒンジ連結による伸張状態維持の進行によって，そのコーナー送り通過をなし得るようにしてある。即ちガイドレール１にシャッター単位２を上吊支持することによって，ガイドレール１には非連結側両端上下４ヶ所のガイドローラー２６が，それぞれ受入れ案内されるとともに該シャッター単位２をなすパネル２１は，その隣接する縦框２３のヒンジ連結を上記１／２円乃至１／２円強の回動角度で内側に折畳まれるようにした結果，シャッター単位２を，その伸張状態で，例えば手送りによってこれを移動すると，平面Ｕ字状の各開口面において直進走行を行う一方，コーナーに至ると移動方向先端側のガイドローラー２６が一方のガイドレールの溝ガイド１２からコーナー接続部材１１のガイド溝１２を介して１／４円の方向転換を行ってこれに直交する他方のガイドレールのガイド溝１２に至って，シャッター単位２はその直交するガイドレールに対して傾斜架設状となり，その伸張状態を維持して進行して，移動方向後端側のガイドローラーがコーナー接続部材のガイド溝を通過することによって，コーナーを通過する。即ち，シャッター単位２の移動方向先端側のガイドローラー２６がコーナーに至ると，ヒンジ連結部位には外側，即ち室外側に反るように屈曲しようとする反力が作用するところ，該シャッター単位２はその室外側への屈曲ができないから，該反力による屈曲が規制されて，上記傾斜架設状の伸張状態を維持した通過を行うことができる。このとき本例にあってヒンジ連結の回動角度は，これを１／２円強としたことにより，該ヒンジ連結部位は１／２円を超える角度分外側への屈曲をなし得るところ，上記反力を受けたとき，該ヒンジ連結部位がこれを吸収して，シャッター単位２が騒音を発生したり，逆側に戻されたりすることなく，スムーズにして確実なコーナー通過を行うことができる。
【００２６】
従ってシャッター単位２は，上記任意の開閉に加えて，必要に応じて平面Ｕ字状の任意の開口面から任意の開口面へのスムーズな移動ができるとともに任意位置における室内側に向けた折畳みができるようになり，これによって本例の横引シャッターＡは，これをフルオープンをなし得るものとして，その使い勝手を可及的良好にすることができる。
【００２７】
一方，３は，上記各シャッター単位２の上記非連結側両端の縦框２３間又はその一方に配置した，折畳み状態としたシャッター単位２をガイドレール１の長手方向任意位置で該ガイドレール１に対して保持するロック装置，４は，同じく上記シャッター単位２の隣接する縦框２３の一方に配置した，伸張状態としたシャッター単位２をガイドレール１長手方向任意位置で該ガイドレール１に対して固定する施錠装置である。
【００２８】
本例にあって上記ロック装置３は，例えばシャッター単位２の屈曲伸張に連動して，例えば該縦框２３から下向きに突没自在として，下位ガイドレール１ｂの溝ガイド１２外側又は内側のガイドレール１の縁部に対接するロック部材３６を備え，シャッター単位２をガイドレール１の任意位置で屈曲して折畳んだときに，該ロック部材３６が下位ガイドレール１ｂに対接して該シャッター単位２をその折畳み位置で該ガイドレール１ｂに保持するようにロックし，風圧等によるシャッター単位２の移動や揺動を防止する一方，シャッター単位２を伸張してこれを閉めたとき該ロックを解除し，その自由な移動をなし得るようにしてある。ロック装置３は，例えば非連結側両端の一方の縦框２３における見付面に配置した押圧突起３１と，他方の縦框２３の中空部に内蔵し，該押圧突起３１の押圧とその解除によってロック部材３６を上下動してロック部材３６のロックとその解除を行う昇降部材３２と，該ロック部材３６を常時解除状態に維持するように昇降部材３２に配置した付勢部材３５とを備えたものとしてあり，このとき昇降部材３２は，上記押圧突起３１の押圧によって，ガイドに沿って傾斜回動する回動部材３３と，該回動部材３３の傾斜回動によって，上記付勢部材３５による上向きの付勢に抗してロック部材３６を上下動する垂直移動する垂直可動部材３４とを備えたものとしてある。３７は，ロック部材３６の下端に配置して，下位ガイドレール１ｂに対する対接を騒音なく且つ摩擦抵抗を発揮して確実に行うようにしたクッション材である。
【００２９】
このロック装置３を各シャッター単位２が備えることによって，例えば落し錠とガイドレールの受孔とによってロック装置を形成した場合の如くにガイドレール長手方向にロック位置が固定化したりすることなく，各シャッター単位２のガイドレール長手方向任意位置での折畳みに応じて，該任意位置でのロックを行うことができ，出入や通風を行うように単一のシャッター単位２を折畳み，また多数のシャッター単位２を折畳むことによって，その使い勝手を向上したものとすることができる。
【００３０】
本例にあって上記施錠装置４は，上記ロック装置３と競合しないように，隣接する縦框２３，即ちヒンジ連結した縦框２３の一方に配置し，シャッター単位２を伸張状態，即ち該縦框２３が幅方向中央部にして且つガイドレール１の溝ガイド１２上に位置した状態で，該一方の縦框２３に設置した操作部材４１と，該操作部材４１の操作によってリンク機構を介して上下動することによって上下位ガイドレールのガイド溝に突没自在としたロッド棒とを備えてその施開錠を行うものとしてある（施錠装置は操作部材を除いて図示を省略する）。施錠装置４を各シャッター単位２が備えることによって，該シャッター単位２はそのヒンジ連結した縦框２３のガイドレール１からの脱出が阻害されて，その折畳みが不能となるから，閉鎖状態で各施錠装置４を操作することによって全てのシャッター単位２をその閉鎖状態に維持するように施錠することができ，従って上記同幅一対のパネル２１をヒンジ２５連結することによって独立して開閉自在とした各シャッター単位２を用いた横引シャッターＡの施錠による防犯性を確保して，その使い勝手を向上することができる。
【００３１】
更に図中５１はサンルームの屋根１２を支持する支柱，２４は縦框間に設置して伸張したシャッター単位２又はその隣接するシャッター単位２との間で気密性を確保し得るようにした気密材をそれぞれ示す。
【００３２】
図示した例は以上のとおりとしたが，ガイドレールは，これを平面Ｌ字状に配置して，２面の開口面を有するものとすること，複数開口面に亘るガイドレールをそれぞれの開口面毎に独立したものとして複数開口面のそれぞれを塞ぐように各多数のシャッター単位を配置したものとすること，例えばシャッター単位を伸張したとき手動により又は隣接シャッター単位との間で自動的にシャッター単位の横框の一方又は双方から気密材を突出するようにして，シャッター単位とガイドレール間の気密性を確保する気密材突没の気密装置を設けることを含めて，本発明の実施に当って，平面Ｌ字状乃至Ｕ字状のガイドレール，シャッター単位，パネル，ヒンジ，コーナー接続部材，ヒンジ連結によるパネル折畳みの回動範囲，係合ガイド，ロック装置，施錠装置等の各具体的形状，構造，材質，これらの関係，これらに対する付加等は，上記発明の要旨に反しない限り様々な形態のものとすることができる。
【図面の簡単な説明】
【００３３】
【図１】サンルームの正面図である。
【図２】サンルームの側面図である。
【図３】ガイドレールの平面図である。
【図４】シャッター単位とガイドレールの関係を示す縦断面図である。
【図５】ガイドローラーと下位ガイドレールの接触状態のモデルを示す縦断面図である。
【図６】ガイドレールとシャッター単位のコーナー通過の状態を示す横断面図である。
【図７】ガイドレールのコーナー部分の拡大平面図である。
【図８】ロック装置のロック状態を示す縦断面図である。
【図９】ロック装置のロック解除状態を示す縦断面図である。
【符号の説明】
【００３４】
Ａ  横引シャッター
１  ガイドレール
１ａ  上位ガイドレール
１ｂ  下位ガイドレール
１１  コーナー接続部材
１２  溝ガイド
１３  ガイド突条
２  シャッター単位
２１  パネル
２２  横框
２３  縦框
２４  気密材
２５  ヒンジ
２６  ガイドローラー
２６ａ  径大のガイドローラー
２６ｂ  径小のガイドローラー
３  ロック装置
３１  押圧突起
３２  昇降部材
３３  回動部材
３４  垂直可動部材
３５  付勢部材
３６  ロック部材
３７  クッション材
４  施錠装置
４１  操作部材
５  サンルーム
５１  支柱
５２  屋根
【図１】
0005154994.tif 000002
【図２】
0005154994.tif 000003
【図３】
0005154994.tif 000004
【図４】
0005154994.tif 000005
【図５】
0005154994.tif 000006
【図６】
0005154994.tif 000007
【図７】
0005154994.tif 000008
【図８】
0005154994.tif 000009
【図９】
0005154994.tif 000010